(57)【要約】【課題】送り爪のもぎ取れの不具合を解消できる紙幣識別装置を提供する。【解決手段】プーリー１５、１６間に掛け渡される送りベルト１２と、紙幣を識別する識別部２３と、プーリーの内、紙幣の投入口とは反対側に位置する奥プーリー１６の外方を覆って配設され、送り込まれてくる紙幣を内側のガイド面でガイドして反転させる反転ガイド２５と、ストッカ部３０とを具備する紙幣識別装置１０において、奥プーリー１６の回転軸１９に奥プーリー１６と同軸に固定され、周縁部に周方向に所定間隔をおいて複数の第１の透孔２７が形成され、第１の透孔２７が形成されることによって生じた弾性力によって反転ガイド２５との間で紙幣を挟圧して紙幣を送る送り部材２６を有することを特徴とする。【選択図】図１
2014166903.tif 000002
【特許請求の範囲】
【請求項１】
プーリー間に掛け渡され、プーリーが駆動部により回転されることで回転する無端状の送りベルトと、該送りベルトに圧接され、投入口より投入された紙幣を前記送りベルトとの間で挟圧して紙幣を送る押圧子と、紙幣の送り込み経路上に配設され、紙幣を識別する識別部と、前記プーリーの内、紙幣の投入口とは反対側に位置する奥プーリーの外方を覆って配設され、送り込まれてくる紙幣を内側のガイド面でガイドして反転させる反転ガイドと、該反転ガイドから送り込まれる紙幣を収容するストッカとを具備する紙幣識別装置において、
前記奥プーリーの回転軸に該奥プーリーと同軸に固定され、周縁部に周方向に所定間隔をおいて複数の第１の透孔が形成され、該第１の透孔が形成されることによって生じた弾性力によって前記反転ガイドとの間で紙幣を挟圧して紙幣を送る送り部材を有することを特徴とする紙幣識別装置。
【請求項２】
前記送り部材の、前記第１の透孔より内側であって、各隣接する第１の透孔の間に位置して第２の透孔が設けられていることを特徴とする請求項１記載の紙幣識別装置。
【請求項３】
前記第１の透孔が前記送り部材の周方向に長い長孔に形成されていることを特徴とする請求項１または２記載の紙幣識別装置。
【請求項４】
前記送り部材の外周に所定間隔をおいて複数の送り爪が設けられていることを特徴とする請求項１〜３いずれか１項記載の紙幣識別装置。
【請求項５】
前記送り部材の外形が多角形に形成され、多角形の角部が前記送り爪に形成されていることを特徴とする請求項４記載の紙幣識別装置。
【請求項６】
前記送り爪の形状が台形であることを特徴とする請求項４記載の紙幣識別装置。
【請求項７】
前記送り部材の前記送り爪に対応する位置に前記第１の透孔が設けられていることを特徴とする請求項４〜６いずれか１項記載の紙幣識別装置。
【請求項８】
前記送り部材の隣接する前記送り爪の間に前記第１の透孔が設けられていることを特徴とする請求項４〜６いずれか１項記載の紙幣識別装置。
【請求項９】
前記送り部材の外形が円形であることを特徴とする請求項１〜３いずれか１項記載の紙幣識別装置。
【請求項１０】
前記反転ガイドが、前記送り部材を押圧する弾性部材で形成されていることを特徴とする請求項１〜９いずれか１項記載の紙幣識別装置。
【発明の詳細な説明】
【技術分野】
【０００１】
本発明は紙幣識別装置に関する。
【背景技術】
【０００２】
パチンコ店等の遊技場では、紙幣識別装置を備えた玉貸し機やメダル貸し機等が設置され、玉貸し等を行っている。この場合、紙幣識別装置は、投入された紙幣の真贋を判定し、真正の紙幣の場合には、玉貸し等の必要な処理を行った後、紙幣を収納部に収納し、不正等の紙幣の場合には、紙幣を投入口に返却するようにしている。
このような紙幣識別装置に特許文献１に記載された装置がある。
この紙幣識別装置は、紙幣投入口と、プーリーに掛け渡され、投入口に投入された紙幣を搬送する無端ベルトと、投入口とは反対側の奥側のプーリーを覆って配設された円弧状の反転ガイドと、ストッカと、識別部を備えるものである。また、奥側のプーリーと同軸に設けられ、外周に送り爪が形成された送り部材を有している。
識別部で真贋が判別され、真正の紙幣である場合には、無端ベルトにより反転ガイドに送り込まれ、さらに送り部材の送り爪と反転ガイドとで押圧しながら紙幣を搬送、反転してストッカに送り込むようになっている。
【先行技術文献】
【特許文献】
【０００３】
【特許文献１】特開平８−２２１６４０号公報
【発明の概要】
【発明が解決しようとする課題】
【０００４】
ところで特許文献１に示される紙幣識別装置において、送り部材はゴム製の弾性部材によって形成され、また、その送り爪は、先丸Ｖ字状をなす比較的に長さの長い送り爪に形成されている。
紙幣を反転ガイドとの間で搬送する場合、送り爪は弾性力に抗して紙幣の搬送後方側に若干屈曲した状態となり、その紙幣との間の摩擦力および反力によって紙幣の強い搬送力が得られるようになっている。
しかしながら、上記のように送り爪を先丸Ｖ字状をなす比較的に長さの長いものに形成しているので、長期間の使用により送り爪がもぎ取れてしまうおそれがあった。特に、紙幣が詰まったりした場合に、送り爪がもぎ取れるおそれが大であった。
【０００５】
そこで、本発明は上記課題を解決すべくなされたもので、その目的とするところは、送り爪のもぎ取れの不具合を解消できる紙幣識別装置を提供することにある。
【課題を解決するための手段】
【０００６】
本発明に係る紙幣識別装置は、プーリー間に掛け渡され、プーリーが駆動部により回転されることで回転する無端状の送りベルトと、該送りベルトに圧接され、投入口より投入された紙幣を前記送りベルトとの間で挟圧して紙幣を送る押圧子と、紙幣の送り込み経路上に配設され、紙幣を識別する識別部と、前記プーリーの内、紙幣の投入口とは反対側に位置する奥プーリーの外方を覆って配設され、送り込まれてくる紙幣を内側のガイド面でガイドして反転させる反転ガイドと、該反転ガイドから送り込まれる紙幣を収容するストッカとを具備する紙幣識別装置において、前記奥プーリーの回転軸に該奥プーリーと同軸に固定され、周縁部に周方向に所定間隔をおいて複数の第１の透孔が形成され、該第１の透孔が形成されることによって生じた弾性力によって前記反転ガイドとの間で紙幣を挟圧して紙幣を送る送り部材を有することを特徴とする。
【０００７】
前記送り部材の、前記第１の透孔より内側であって、各隣接する第１の透孔の間に位置して第２の透孔を設けるようにすることができる。
前記第１の透孔を前記送り部材の周方向に長い長孔に形成することができる。
前記送り部材の外周に所定間隔をおいて複数の送り爪を設けることができる。
前記送り部材の外形を多角形に形成し、該多角形の角部を前記送り爪に形成することができる。
前記送り爪の形状を台形に形成することができる。
前記送り爪に対応する位置に前記第１の透孔を設けるようにすることができる。
隣接する前記送り爪の間に前記第１の透孔を設けるようにすることができる。
前記送り部材の外形を円形に形成し、送り爪を設けないようにすることができる。
前記反転ガイドを、前記送り部材を押圧する弾性部材で形成することができる。
【発明の効果】
【０００８】
本発明によれば、送り部材の本体部の部位に透孔を設けたので、送り部材に弾性を持たせることができ、送り部材の弾性力と紙幣との間の摩擦力によって紙幣を送り込むことができ、従来のような送り爪のもぎ取れがなくなり、耐久性を高めることができる。
【図面の簡単な説明】
【０００９】
【図１】紙幣識別装置の側面板を取り外した状態の概略的な側面図である。
【図２】紙幣識別装置の蓋体を取り外した状態の平面図である。
【図３】送り部材の側面図である。
【図４】送り部材の他の実施の形態を示す側面図である。
【図５】送り部材のまた他の実施の形態を示す側面図である。
【図６】送り部材の他の実施の形態を示す側面図である。
【図７】送り部材のさらにまた他の実施の形態を示す側面図である。
【図８】送り部材のまたさらに他の実施の形態を示す側面図である。
【発明を実施するための形態】
【００１０】
以下本発明の好適な実施の形態を詳細に説明する。
図１は紙幣識別装置１０の側面板を取り外した状態の概略的な側面図、図２は蓋体を取り外した状態の平面図である。
図において、１２はタイミングベルトからなる送りベルトであり、無端状をなし、紙幣の投入口１４側のプーリー１５とこれとは反対側の奥プーリー１６との間に掛け渡されている。送りベルト１２は２列、平行に設けられている（図２）。
１７ａ、１７ｂ、１７ｃは押圧ローラ（押圧子）で、それぞれスプリングに付勢されて送りベルト１２を押圧する。押圧ローラ１７ａ、１７ｂ、１７ｃは蓋体２２の裏面側に配設されている。蓋体２２は軸２１を中心に回動可能に設けられ、紙幣識別装置１０の上面側を開放可能になっている。
【００１１】
押圧ローラ１７ａはプーリー１５と対向位置し、両者で送りベルト１２を挟圧する。押圧ローラ１７ｂは受けローラ１８ｂと対向位置し、両者で送りベルト１２を挟圧する。押圧ローラ１７ｃは受けローラ１８ｃと対向位置し、両者で送りベルト１２を挟圧する。なお、押圧子はローラに形成するのが好ましいが、必ずしもローラでなくともよく、円弧状の曲面をもつ板バネなどであってもよい。
【００１２】
２３は紙幣識別部であり、押圧ローラ１７ａと押圧ローラ１７ｂとの間に位置して、かつ両送りベルト１２の間に位置して配設され、投入口１４に投入された紙幣を判別する。識別部２３は公知の機構を採用でき、各種センサおよびセンサからの検知信号が入力されて該入力された検知信号とあらかじめ入力されているデータとを比較して識別する制御部（図示せず）を有する。識別部２３では、例えば、紙幣の印刷インクに混入された磁性粉の磁気を検知して、混入の有無や混入パターンから識別したり、印刷インクからの赤外光の反射パターンを検出して識別したりする。
【００１３】
２５は反転ガイドである。反転ガイド２５は断面が半円弧状の板状に形成され、奥プーリー１６の外方を覆ってその内側の円弧面（ガイド面）と奥プーリー１６（送りベルト１２の面）との間に紙幣が進入しうる隙間があくように設定されている。２６は円板状の送り部材であり、奥プーリー１６の回転軸１９に２つの各奥プーリー１６と同軸に、かつ接触してそれぞれ固定されている。送り部材２６はゴム等の弾性部材により形成されている。また、送り部材２６は、その外周に所定間隔をおいて多数の送り爪２６ａが形成されている。従来の送り爪は前記のように、先丸Ｖ字状の比較的に長さの長いものに形成されているが、本実施の形態では、図３に明確なように、送り爪２６ａの形状を、側面から見て台形状となるように、また比較的に高さの低いものに形成している。
【００１４】
送り部材２６は、そのゴム製の本体部２６ｂが所定幅を有するリング状に形成され、このリング状の本体部２６ｂが円板状の支持体部２６ｃの外周上に嵌め合わされ、固定されることによって、全体が円板状をなすように形成されている。
また、送り部材２６の、各送り爪２６ａに対応する本体部２６ｂの部位（送り爪２６ａとラジアル方向に一致する部位）に円形の透孔（第１の透孔）２７が設けられている。このように本体部２６ｂに円形の透孔２７を設けることによって、本体部２６ｂの剛性が減じられる。そして、送り爪２６ａに接線方向の外力が加わると、本体部２６ｂに円形の透孔２７が存在することによって、送り爪２６ａを含めた、送り爪２６ａ近傍の本体部２６ｂが変形し、送り爪２６ａが接線方向の後方に撓むように変形する。換言すれば、送り爪２６ａ近傍が弾性的に変形する。
【００１５】
断面円弧状の反転ガイド２５と送り部材２６との関係は、図１に示すように、紙幣の進入側（前半部）においては、紙幣が進入しやすいように反転ガイド２５のガイド面と送り部材２６の送り爪２６ａの先端部との間に所要の隙間が生じるようにされている。そして、反転ガイド２５のほぼ中央部から紙幣搬出側（後半部）においては、反転ガイド２５のガイド面に送り部材２６の送り爪２６ａの先端部が接触するか、あるいは送り爪２６ａが該ガイド面を押圧するような関係に設定されている。
反転ガイド２５を、弾性を有する金属板等によって形成し、上記後半部を、フリー端部に形成するようにすると好適である。このようにすることによって、上記後半部において、送り込まれる紙幣は反転ガイド２５の弾性力によっても送り部材２６の送り爪２６ａとの間で挟圧される。なお、反転ガイド２５の上記後半部における、送り爪２６ａが反転ガイド２５を押圧する部分では、送り爪２６ａが反転ガイド面と摺れ合って双方が摩耗しないよう、送り爪２６ａを逃がすスリット状溝部２８がガイド面に設けられている。
【００１６】
次に、３０は公知のストッカ部（収納部）である。
ストッカ部３０は送りベルト１２の下方に位置してケーシング２０内に配設されている。３１は紙幣を押し上げる押し上げ板で、スプリング３２によって上方に付勢され、平行に間隔をおいて設けられた２本のレール３３（１本のみ図示）に両端縁部にて押し当てられている。押し上げ板３１と２本のレール３３との間が紙幣収納部に形成される。送り部材２６によって送り込まれる紙幣は２本のレール３３上に一旦橋渡し状態に送り込まれる。３４は押し込み装置である。３５はその押し込み板であり、カム３６によって押し下げられ、２本のレール３３上に橋渡し状態で支持されている紙幣をレール３３より下方に押し下げ、紙幣を押し上げ板３１とレール３３間にストックするようにする。
【００１７】
押し込み板３５は、中央部で回動自在に軸３９に軸着された２本のレバー３８、４０のレバー３８の一端に軸着され、レバー３８の他端は長孔を介してケーシング２０に固定されている軸４１に連結され、またレバー４０の一端は回転軸４３に連結され、レバー４０の他端は長孔を介して押し込み板３５上に設けられた軸４４に連結されている。すなわち、レバー３８とレバー４０とでパンタグラフ構造を構成する。図示しないつるまきバネによって、両レバー３８、４０は、常時は閉じる方向に付勢され、押し込み板３５が上昇され、押し込み板３５とレール３３との間に紙幣が進入する空間を形成している。
また、回転軸４３にはカム３６が偏心して固定されている。
【００１８】
図２は駆動系を示す。４７は奥プーリー１６を回転駆動するモータで、ウォーム４８、ウォームホイール４９を介して奥プーリー１６の回転軸１９を回転させる。５０はカム３６を回転させるモータであり、ウォーム５１、ウォームホイール５２を介して軸４３を回転させる。なお、図１においては、図をわかりやすくするために、駆動系の図示を省略している。
【００１９】
続いて動作を説明する。
紙幣は投入口１４から先端が送りベルト１２と押圧ローラ１７ａとの間に至るように投入される。図示しないセンサあるいはスイッチにより紙幣が感知されると、モータ４７が駆動され、送りベルト１２が回転されることにより、紙幣が識別部２３を所定範囲に亙って通過するまで送り込まれる。識別部２３では公知の機構により、紙幣が本物か否かを、あるいは必要に応じてその金額を識別する。紙幣が偽造あるいは変造等の場合にはモータ４７が逆方向に回転駆動され、紙幣を投入口１４に排出する。紙幣が本物であると判別された場合には、モータ４７が駆動され、紙幣をストッカ部３０内に取り込むのである。
【００２０】
その際、紙幣が、送りベルト１２と押圧ローラ１７ｃで後端側が挟圧されて先端側がさらに送り込まれると、紙幣先端部が反転ガイド２５の内側面（ガイド面）でガイドされ、下方に案内される。紙幣先端側が反転ガイド２５の中央部付近にまで至ると、この部位では、送り爪２６ａが反転ガイド２５のガイド面に当接あるいは溝部２８内に進入する関係にあるから、紙幣先端部は反転ガイド２５のガイド面と送り爪２６ａ先端部とで弾性的に挟み込まれるようになり、送り爪２６ａと紙幣との間の摩擦力によって紙幣は前方に送り込まれる。すなわち、紙幣は、送りベルト１２と押圧ローラ１７ｃから送り爪２６ａと反転ガイド２５に受け渡されて、前方のストッカ部３０のレール３３上に送り込まれる。ストッカ部３０に紙幣が送り込まれたことが図示しないセンサ等で確認されると、直ちに送りベルト１２が停止され、次いでモータ５０が駆動され、カム３６が回転されてカム面により押し込み板３５がバネの付勢力に抗して押圧され、レール３３よりも下方に押し下げられることから、レール３３上に送り込まれた紙幣はこれによりレール３３下方に移動され、押し上げ板３１上に順次積層された状態でストックされる。カム３６が原位置まで回転してくると押し込み板３５はバネに付勢されて原位置まで上昇復帰する。
【００２１】
前記のように、送り爪２６ａに対応する本体部２６ｂの部位に透孔２７が形成されているので、本体部２６ｂの剛性が減じられる。紙幣がガイド面と送り爪２６ａとの間で挟圧されて前方に送り込まれる際、送り爪２６ａに接線方向の外力が加わる。外力が加わると、本体部２６ｂに円形の透孔２７が存在するので、送り爪２６ａを含めた、送り爪２６ａ近傍の本体部２６ｂが変形し、送り爪２６ａが接線方向の後方（紙幣の送り方向と逆の方向）に撓むように弾性的に変形する。この送り部材２６に生じた弾性力および摩擦力によって送り爪２６ａと反転ガイド２５との間で紙幣を挟圧して紙幣を送るのである。
【００２２】
上記のように、送り爪２６ａに対応する本体部２６ｂの部位に透孔２７を設けたので、送り爪２６ａ近傍の本体部２６ｂが変形し、弾性力が増すので、従来のように、送り爪自体を長く形成する必要がなく、台形状の比較的高さの低い送り爪２６ａに形成しても弾性を得ることができる。また、この弾性力は、本体部２６ｂに透孔２７を設けることにより、本体部２６ｂが変形することによって生じるのであり、送り爪２６ａ自体には特段弾性力を持たせるようにしなくてもよく、従来より剛性の高いものとすることができる。
このように、送り爪２６ａを高さの低いものにできること、また送り爪２６ａに剛性を持たせることができることにより、送り爪２６ａのもぎ取れがなくなり、耐久性を高めることができた。
透孔２７は、必ずしも円形に限定されるものではなく、楕円状、矩形状、スリット状など、変形により本体部２６ｂの弾性力が増す形状および大きさのものであればよい。
【００２３】
図４は送り部材２６の他の実施の形態を示す側面図である。
本実施の形態においては、送り爪２６ａを図３に示すものよりさらに高さの低い台形状に、かつ周方向に長さの長いものに形成している。
また、透孔（第１の透孔）２７は、送り爪２６ａに対応する位置に周方向に長さの長い長孔に形成している。
本実施の形態においては、透孔２７を長孔に形成することによって、隣接する透孔２７間の間隔を小さいものにできるので、送り部材２６をさらに柔軟性の高い、弾力を有するものにできる。また、送り爪２６ａを高さの低い、長いものにすることによって、もぎ取れをさらに効果的に防止できる。
【００２４】
図５は送り部材２６のさらに他の実施の形態を示す。
本実施の形態では、送り部材２６の外形を多角形に形成し、この多角形の角部を送り爪２６ａに形成している。透孔（第１の透孔）２７は、送り爪２６ａに対応する位置に周方向に長さの長い長孔に形成している。
本実施の形態においても、送り部材２６に弾性を得ることができるとともに、多角形の角部を送り爪２６ａに形成しているので、さらに送り爪２６ａのもぎ取れを防止できる。透孔２７を送り爪２６ａに対応する位置に設けることによって、送り爪２６ａが送り部材２６の径方向に沈み込みやすくなる。なお、角部は若干丸みをもたせてもよい。
【００２５】
図６は、図５の送り部材２６において、長孔からなる透孔（第１の透孔）２７を、隣接する多角形の角部（送り爪２６ａ）の間に位置するように設けている。本実施の形態においても、送り部材２６に弾性を得ることができるとともに、多角形の角部を送り爪２６ａに形成しているので、さらに送り爪２６ａのもぎ取れを防止できる。透孔２７を隣接する送り爪２６ａの間に位置するように設けることによって、送り爪２６ａが周方向に撓みやすくなる。
なお、図３や図４の実施の形態においても、透孔２７を隣接する送り爪２６ａの間に位置するように設けてもよい。
【００２６】
図７は送り部材２６のまたさらに他の実施の形態を示す側面図である。
本実施の形態では、送り部材２６において送り爪２６ａを無くし、送り部材２６の外形を円形にしている。
そして、送り部材２６の本体部２６ｂの周縁部に所定間隔をおいて複数の長孔からなる透孔（第１の透孔）２７を設けている。
このように、透孔２７を形成することによって、送り部材２６に弾性をもたせることができ、送り部材２６の外周面と反転ガイド２５のガイド面との間で紙幣を挟圧して、弾性力と摩擦力により紙幣を搬送することが可能である。
【００２７】
図８は送り部材２６のさらにまた他の実施の形態を示す側面図である。
本実施の形態では、図７に示す送り部材２６において、第１の透孔２７を設けたエリアのさらに内側の本体部２６ｂのエリアに、隣接する第１の透孔２７の間に位置して第２の透孔２９を設けている。
本実施の形態でも、送り部材２６のさらなる柔軟性、弾性力を得ることができる。特に、隣接する第１の透孔２７間に、本体部２６ｂのリブ状の部位が残るが、当該部位の内側に第２の透孔２９を設けたので、全体として大きな弾性力を得ることができ、紙幣を反転ガイド２５に良好に押し付けて紙幣を搬送することができる。
このような第２の透孔２９を、図３〜図６に示す送り部材２６に設けるようにしてもよい。
なお、以上の各実施の形態において、反転ガイド２５のガイド面に、紙幣との間の摩擦力を減じるために、テフロン（登録商標）等の滑り部材をコーティングするようにするとよい。
【符号の説明】
【００２８】
１０  紙幣識別装置、１２  送りベルト、１４  投入口、１５  プーリー、１６  奥プーリー、１７  押圧ローラ（押圧子）、１８ｂ  １８ｃ  受けローラ、１９  回転軸、２０  ケーシング、２１  軸、２２  蓋体、２３  識別部、２５  反転ガイド、２６  送り部材、２６ａ  送り爪、２６ｂ  本体部、２６ｃ  支持体部、２７  （第１の）透孔、２８  溝部、２９  第２の透孔、３０  ストッカ部、３１  押し上げ板、３２  スプリング、３３  レール、３４  押し込み装置、３５  押し込み板、３６  カム、３８  レバー、３９  軸、４０  レバー、４１  軸、４３  軸、４４  軸、４７  モータ、４８  ウォーム、４９  ウォームホイール、５０  モータ、５１ウォーム、５２  ウォームホイール
【図１】
2014166903.tif 000003
【図２】
2014166903.tif 000004
【図３】
2014166903.tif 000005
【図４】
2014166903.tif 000006
【図５】
2014166903.tif 000007
【図６】
2014166903.tif 000008
【図７】
2014166903.tif 000009
【図８】
2014166903.tif 000010